(57)【要約】  方法は、第１サーバーにおいて、第１の潜在的な行先及び第２の潜在的な行先を決定することを含む。この方法は、更に、第２サーバーにおいて、第１の潜在的行先に対応する第１のネットワーク性能メトリックを決定し、及び第２サーバーにおいて、第２の潜在的行先に対応する第２のネットワーク性能メトリックを決定することも含む。この方法は、更に、第３サーバーにおいて、第１の潜在的な行先及び第２の潜在的な行先をランク付けすることも含み、このランク付けは、第１のネットワーク性能メトリックと第２のネットワーク性能メトリックとの間の比較に基づく。【選択図】      図３
2018529956.tif 000002
【特許請求の範囲】
【請求項１】
第１サーバーにおいて、第１の潜在的な行先及び第２の潜在的な行先を決定し、
第２サーバーにおいて、第１の潜在的行先に対応する第１のネットワーク性能メトリックを決定し、
第２サーバーにおいて、第２の潜在的行先に対応する第２のネットワーク性能メトリックを決定し、
第３サーバーにおいて、第１の潜在的な行先及び第２の潜在的な行先をランク付けし、このランク付けは、第１のネットワーク性能メトリックと第２のネットワーク性能メトリックとの間の比較に基づいて行う、
ことを含む方法。
【請求項２】
メモリ、プロセッサ及びディスプレイを有する装置において、前記ランキングに基づき第１の潜在的な行先及び第２の潜在的な行先の１つへナビゲートすることを更に含む、請求項１に記載の方法。
【請求項３】
前記第１サーバーは、第１の潜在的な行先及び第２の潜在的な行先の１つをナビゲートするように構成されたナビゲーションサーバーである、請求項１又は２に記載の方法。
【請求項４】
第３サーバーにおいて、第１の潜在的な行先及び第２の潜在的な行先の前記ランキングに基づき最終的な行先を推奨することを更に含む、請求項１又は２に記載の方法。
【請求項５】
第１の潜在的な行先及び第２の潜在的な行先は、デバイスを動作する加入者により選択される、請求項１又は２に記載の方法。
【請求項６】
加入者がデバイスを使用するかどうか決定し、及び
加入者がデバイスを使用する場合には、第１の潜在的な行先及び第２の潜在的な行先のランキングに基づき最終的な行先を自動的に選択してナビゲートする、
ことを更に含む、請求項５に記載の方法。
【請求項７】
加入者がデバイスを使用するかどうかの前記決定は、加入者がボイスコール中であるかどうか決定すること、加入者が別のデバイスに接続されたかどうか決定すること、加入者がデータ又はビデオサービスにアクセスするかどうか決定すること、のうちの少なくとも１つを含む、請求項６に記載の方法。
【請求項８】
第１の潜在的な行先及び第２の潜在的な行先をランキングすることは、更に、第１の潜在的な行先及び第２の潜在的な行先の顧客批評、第１の潜在的な行先及び第２の潜在的な行先のセキュリティレベル、並びに第１の潜在的な行先及び第２の潜在的な行先への好ましいルートの履歴的安全メトリック、のうちの少なくとも１つに基づく、請求項１又は２に記載の方法。
【請求項９】
前記第３サーバーは、更に、ＫＰＩを計算するように構成され、ＫＰＩは、第１及び第２のネットワーク性能メトリックに応答してナビゲーションが変更された度合いであり、その計算されたＫＰＩは、エンドユーザに表示され、及び第１サーバー、第２サーバー、ワイヤレスネットワークプロバイダー、運転及び保守サーバー、第１の行先、第２の行先、並びにデバイスの少なくとも１つとで共有されること；及びその潜在的な行先への付加的なワイヤレスインフラストラクチャーの自動配信のためのトリガー；の少なくとも１つとなるよう構成される、請求項２に記載の方法。
【請求項１０】
メモリ、プロセッサ及びディスプレイを有していて、ネットワークに接続される少なくとも１つのデバイス、
前記デバイスと通信するように構成された第１サーバー、
前記デバイスと通信するように構成された第２サーバー、及び
前記第１及び第２サーバーと通信する第３サーバー、
を備えたシステムにおいて、前記第３サーバーは、
第１サーバーから第１の潜在的な行先及び第２の潜在的な行先を受け取り、
第１の潜在的な行先に対応する第１のネットワーク性能メトリックを第２サーバーから受け取り、
第２の潜在的な行先に対応する第２のネットワーク性能メトリックを第２サーバーから受け取り、及び
第１のネットワーク性能メトリックと第２のネットワーク性能メトリックとの間の比較に基づいて第２の潜在的な行先に対して第１の潜在的な行先をランク付けする、
ように構成されたシステム。
【請求項１１】
前記第１の潜在的な行先及び第２の潜在的な行先は、商人、駐車スポット、サービスプロバイダー、及び小売店位置の１つである、請求項１０に記載のシステム。
【請求項１２】
前記第１の潜在的な行先の第１のネットワーク性能メトリック及び第２の潜在的な行先の第２のネットワーク性能メトリックは、所定のネットワーク性能メトリックスレッシュホールドより大きい、請求項１０又は１１のいずれかに記載のシステム。
【請求項１３】
前記第１の潜在的な行先及び第２の潜在的な行先は、ビデオ視聴能力、所定のスレッシュホールドを越えるセキュリティレベル、及び好ましいサービスプロバイダーの少なくとも１つを含む、請求項１０又は１１に記載のシステム。
【請求項１４】
前記第１サーバーは、メモリ及びプロセッサを有するナビゲーションサーバーであり、このナビゲーションサーバーは、ＧＰＳデータ、ナビゲーションデータ、並びに第１の潜在的な行先及び第２の潜在的な行先に対するルーティングデータを与えるように構成される、請求項１０又は１１に記載のシステム。
【請求項１５】
前記第２サーバーは、メモリ及びプロセッサを有するネットワーク知識サーバーであり、前記第３サーバーへネットワーク性能メトリックを与えるよう構成される、請求項１０又は１１のいずれかに記載のシステム。
【請求項１６】
前記第３サーバーは、メモリ、少なくとも１つのデータベース、及びプロセッサを有する相関サーバーであり、この相関サーバーは、第１の潜在的な行先及び第２の潜在的な行先をランク付けし、そのランク付けを記憶し、そして第１の潜在的な行先及び第２の潜在的な行先のうちの高いランクの方を推奨するよう構成される、請求項１０又は１１に記載のシステム。
【請求項１７】
前記相関サーバーは、更に、第１の潜在的な行先及び第２の潜在的な行先の１つを自動的に選択し、そしてその選択された行先へデバイスをナビゲートするよう第２サーバーに命令するよう構成される、請求項１６に記載のシステム。
【請求項１８】
前記デバイスは、移動装置、乗物、及びネットワーク接続を有する着用型アクセサリのうちの少なくとも１つを含む、請求項１０から１７のいずれかに記載のシステム。
【請求項１９】
メモリ、
プロセッサ、及び
少なくとも１つのデータベース、
を備えた装置において、この装置は、加入者デバイス、第１サーバー、及び第２サーバーと通信し、更に、この装置は、
第１サーバーから第１の潜在的な行先及び第２の潜在的な行先を受け取り、
第１の潜在的な行先に対応する第１のネットワーク性能メトリックを第２サーバーから受け取り、
第２の潜在的な行先に対応する第２のネットワーク性能メトリックを第２サーバーから受け取り、及び
第１のネットワーク性能メトリックと第２のネットワーク性能メトリックとの間の比較に基づいて第２の潜在的な行先に対して第１の潜在的な行先をランク付けする、
ように構成された装置。
【請求項２０】
前記装置は、更に、前記ランキングを記憶し、そして第１の潜在的な行先及び第２の潜在的な行先のうちの高いランクの方を推奨するように構成される、請求項１９に記載の装置。
【請求項２１】
前記装置は、更に、第１の潜在的な行先及び第２の潜在的な行先の１つを自動的に選択し、そしてその選択された行先にデバイスをナビゲートするよう第２サーバーに命令するよう構成された、請求項１９又は２０のいずれかに記載の装置。
【請求項２２】
第１サーバーから第１の潜在的な行先及び第２の潜在的な行先を装置により受け取り、
装置は、加入者デバイス、第１サーバー、及び第２サーバーと通信し、
第１の潜在的な行先に対応する第１のネットワーク性能メトリックを第２サーバーから受け取り、
第２の潜在的な行先に対応する第２のネットワーク性能メトリックを第２サーバーから受け取り、及び
第１のネットワーク性能メトリックと第２のネットワーク性能メトリックとの間の比較に基づいて第２の潜在的な行先に対して第１の潜在的な行先をランク付けする、
ことを含む方法。
【請求項２３】
前記方法は、更に、前記ランキングを記憶し、そして第１の潜在的な行先及び第２の潜在的な行先のうちの高いランクの方を推奨することを含む、請求項２２に記載の方法。
【請求項２４】
前記方法は、更に、第１の潜在的な行先及び第２の潜在的な行先の１つを自動的に選択し、そしてその選択された行先にデバイスをナビゲートするよう第２サーバーに命令することを含む、請求項２２又は２３に記載の方法。
【請求項２５】
情報を記憶するための記憶手段、
情報を処理するための処理手段、
を備えた装置において、この装置は、加入者デバイス、第１サーバー、及び第２サーバーと通信し、更に、
第１サーバーから第１の潜在的な行先及び第２の潜在的な行先を受け取るための受信手段、
第１の潜在的な行先に対応する第１のネットワーク性能メトリックを第２サーバーから受け取るための受信手段、
第２の潜在的な行先に対応する第２のネットワーク性能メトリックを第２サーバーから受け取るための受信手段、及び
第１のネットワーク性能メトリックと第２のネットワーク性能メトリックとの間の比較に基づいて第２の潜在的な行先に対して第１の潜在的な行先をランク付けするためのランク付け手段、
を備えた装置。
【請求項２６】
前記記憶手段は、前記ランキングを記憶し、そして前記装置は、更に、第１の潜在的な行先及び第２の潜在的な行先のうちの高いランクの方を推奨するための手段を備えた、請求項２５に記載の装置。
【請求項２７】
前記装置は、更に、第１の潜在的な行先及び第２の潜在的な行先の１つを自動的に選択するための選択手段、及びその選択された行先にデバイスをナビゲートするよう第２サーバーに命令するための命令手段を備えた、請求項２５又は２６のいずれかに記載の装置。
【発明の詳細な説明】
【技術分野】
【０００１】
関連出願の相互参照：本願は、２０１５年９月２１日に出願された米国プロビジョナル特許出願第６２／２２１，２８９号からの優先権を主張するものである。この、先に出願された特許出願の全内容を、参考としてここにそのまま援用する。
【０００２】
本開示は、一般に、行先を推奨する分野に関するもので、より詳細には、ネットワーク性能に一部分基づいて行先を推奨する方法、装置及びシステムに関する。
【背景技術】
【０００３】
行先推奨アルゴリズムは、テレコミュニケーション産業で一般的に知られたもので、セルラー加入者／消費者を、例えば、加入者の好み、加入者の位置、及び好ましい位置への接近度に基づいて、位置及びサービスへと導くように設計されている。
【０００４】
セルラー加入者の人数が増加するにつれて、加入者／消費者は、ワイヤレス移動電話だけではなく、適切な遂行のためにワイヤレスサービスを要求するタブレット、ポータブルコンピュータ及び乗物機能も利用するので、ワイヤレス性能を改善するニーズも益々重要となる。
【発明の概要】
【０００５】
方法は、第１サーバーにおいて、第１の潜在的な行先及び第２の潜在的な行先を決定することを含む。この方法は、更に、第２サーバーにおいて、第１の潜在的行先に対応する第１のネットワーク性能メトリックを決定し、及び第２サーバーにおいて、第２の潜在的行先に対応する第２のネットワーク性能メトリックを決定することも含む。この方法は、更に、第３サーバーにおいて、第１の潜在的な行先及び第２の潜在的な行先をランク付けすることも含み、このランク付けは、第１のネットワーク性能メトリックと第２のネットワーク性能メトリックとの間の比較に基づく。
【０００６】
システムは、メモリ、プロセッサ及びディスプレイを有していて、ネットワークに接続される少なくとも１つのデバイス、このデバイスと通信するように構成された第１サーバー、このデバイスと通信するように構成された第２サーバー、それら第１及び第２サーバーと通信する第３サーバーを備えている。第３サーバーは、第１サーバーから第１の潜在的な行先及び第２の潜在的な行先を受け取り、第１の潜在的な行先に対応する第１のネットワーク性能メトリックを第２サーバーから受け取り、第２の潜在的な行先に対応する第２のネットワーク性能メトリックを第２サーバーから受け取り、及び第１のネットワーク性能メトリックと第２のネットワーク性能メトリックとの間の比較に基づいて第２の潜在的な行先に対して第１の潜在的な行先をランク付けするように構成される。
【０００７】
装置は、メモリ、プロセッサ、及び少なくとも１つのデータベースを備えている。この装置は、加入者デバイス、第１サーバー、及び第２サーバーと通信する。更に、この装置は、第１サーバーから第１の潜在的な行先及び第２の潜在的な行先を受け取り、第１の潜在的な行先に対応する第１のネットワーク性能メトリックを第２サーバーから受け取り、第２の潜在的な行先に対応する第２のネットワーク性能メトリックを第２サーバーから受け取り、及び第１のネットワーク性能メトリックと第２のネットワーク性能メトリックとの間の比較に基づいて第２の潜在的な行先に対して第１の潜在的な行先をランク付けするように構成される。
【０００８】
本開示の適切な理解を助けるために、添付図面を参照されたい。
【図面の簡単な説明】
【０００９】
【図１】本開示の実施形態によるシステム図である。
【図２】本開示の実施形態による方法を示すフローチャートである。
【図３】本開示の実施形態による規範的使用ケースを示す図である。
【図４】本開示の実施形態による規範的使用ケースを示す図である。
【図５】本開示の実施形態による規範的使用ケースを示す図である。
【図６】本開示の実施形態による規範的使用ケースを示す図である。
【図７】本開示の実施形態による規範的使用ケースを示す図である。
【図８】本開示の実施形態による装置を示す図である。
【発明を実施するための形態】
【００１０】
行先推奨及び選択サービスは、希望の位置へナビゲーションするとき消費者により次第に利用されるようになって来た。例えば、Ｙｅｌｐ！（登録商標）、Ｇｏｏｇｌｅ（登録商標）、及びＴｒｉｐＡｄｖｉｓｏｒ（登録商標）のような消費者フィードバック駆動アプリケーションの出現に伴い、消費者は、単なる自身の現在位置への接近度以上のものに基づいて自身の希望の行先を選択することができる。又、ユーザの希望の位置におけるワイヤレスサービスの利用も、今日の顧客にとって益々重要になりつつある。というのは、近年、家庭／オフィス以外でのワイヤレスデバイスの使用が著しく増加したからである。従って、あるケースでは、企業及び／又は地方自治体は、改良されたワイヤレスサービスを提供できれば、利益を上げることができる。更に、益々多くの乗物が、今や、接続車両サービス（ナビゲーション特徴及び車内アプリケーション、例えば、Ｐａｎｄｏｒ（登録商標）及びＳｌａｃｋｅｒ（登録商標））を提供しているので、顧客が希望の位置へ移動する間に顧客にとってワイヤレスネットワーク性能も重要になりつつある。
【００１１】
本開示は、前記問題を取り扱うもので、行先推奨及び選択のためのシステム、方法及び装置を提供する。図１を参照すれば、本開示は、メモリ１０４、プロセッサ１０６、及びディスプレイ１０８を有していて、ネットワーク１１０に接続される少なくとも１つのデバイス１０２を備えたシステム１００を提供する。他のオプションも考えられるが、本開示では、デバイス１０２は、例えば、移動デバイス、乗物、又はネットワーク接続を有する着用型アクセサリである。又、システムは、デバイス１０２と通信するように構成された第１サーバー１１２、デバイスと通信するように構成された第２サーバー１１４、及びそれら第１サーバー及び第２サーバーと通信する第３サーバー１１６も備えている。
【００１２】
第１、第２及び第３サーバー１１２−１１６は、各々、当業者によく知られたように、スタンドアローンサーバー又はネットワーク１１０内のコンポーネントである。ある実施形態において、第１、第２及び第３サーバーは、ワイヤレス加入者デバイス内に存在してもよい。更に別の実施形態では、加入者デバイスは、少なくとも１つのセルラーシステムを経て受信したワイヤレスメッセージに基づいて少なくとも第１及び第２の潜在的行先に関連したネットワーク性能属性を決定してもよい。更に別の実施形態では、このメッセージは、隣接セルから送信されるワイヤレスメッセージを含んでもよい。本開示によれば、第１サーバー１１２は、メモリ１１８及びプロセッサ１２０を有するナビゲーションサーバーである。このナビゲーションサーバーは、ＧＰＳデータを供給及び記憶し、ナビゲーションデータを供給及び記憶し、そして第１の潜在的行先及び第２の潜在的行先に対するルーティングデータを供給及び記憶するように構成される。この技術で知られているように、データは、例えば、ナビゲーションサーバーのメモリにおいてデータベースに記憶される。
【００１３】
第２サーバー１１４は、メモリ１２２及びプロセッサ１２４を有するネットワーク知識サーバーであり、そして第３サーバー１１６へのネットワーク性能メトリックを供給及び記憶するように構成される。例えば、ネットワーク性能メトリックは、当業者に知られたように、ネットワーク知識サーバーのメモリにおいてデータベースに記憶される。本開示において、第３サーバー１１６は、メモリ１２６、少なくとも１つのデータベース１２８及びプロセッサ１３０を有する相関サーバーである。以下に詳細に述べるように、相関サーバーは、第１の潜在的行先及び第２の潜在的行先をランク付けし、そのランクを記憶し、そして第１の潜在的行先及び第２の潜在的行先のうちの高いランクの行先を推奨するように構成される。
【００１４】
以下に詳細に述べるように、第３サーバー１１６は、第１サーバー１１２から第１の潜在的行先及び第２の潜在的行先を受け取るように構成される。例えば、第１の潜在的行先及び第２の潜在的行先は、商店、パーキングスポット、サービスプロバイダー及び小売店位置の１つである。第１及び第２の潜在的行先は、ビデオ視聴能力、所定スレッシュホールドより高いセキュリティレベル、及び好ましいサービスプロバイダーのようなワイヤレスサービスを含む。セキュリティレベルのための所定スレッシュホールド及び好ましいサービスプロバイダーは、例えば、デバイスのユーザ／加入者により、又はサービスプロバイダーにより設定することができる。
【００１５】
第３サーバー１１６は、更に、第２サーバー１１４から第１のネットワーク性能メトリックを受け取るように構成され、この第１のネットワーク性能メトリックは、第１の潜在的行先に対応する。第３サーバー１１６は、次いで、第２サーバー１１４から第２のネットワーク性能メトリックを受け取ることができ、この第２のネットワーク性能メトリックは、第２の潜在的行先に対応する。第１の潜在的行先の第１のネットワーク性能メトリック及び第２の潜在的行先の第２のネットワーク性能メトリックは、例えば、デバイスユーザ又はサービスプロバイダーにより決定できる所定のネットワーク性能メトリックスレッシュホールドより大きくすることができる。
【００１６】
次いで、第３サーバー１１６は、第１のネットワーク性能メトリックと第２のネットワーク性能メトリックとの間の比較に基づいて第２の潜在的行先に対して第１の潜在的行先をランク付けするように構成される。相関サーバー１１６は、第１の潜在的行先及び第２の潜在的行先をランク付けすると、第１の潜在的行先及び第２の潜在的行先の一方を自動的に選択し、そしてデバイスをその選択された行先へナビゲートするように第２サーバーに命令する。或いは又、相関サーバー１１６は、ランク付けされた第１及び第２の潜在的行先を第２サーバー１１４へ送ることができ、その第２サーバーが次いでデバイス１０２と通信することができる。デバイス１０２のユーザは、次いで、第１又は第２の潜在的行先の一方を選択するか、例えば、新たなサーチをスタートすることができる。
【００１７】
図２は、システム１００による方法２００を示す。方法２００は、ワイヤレスサービスを提供するテレコミュニケーションネットワーク内で遂行されるよう構成される。２０２において、第１サーバー又はナビゲーションサーバー１１２は、第１の潜在的行先及び第２の潜在的行先を決定する。第１の潜在的行先及び第２の潜在的行先の決定は、例えば、以前に決定された「行先タイプ」に基づく（ステップ２０１を参照）。特に、ユーザは、町“Ａ”内のコーヒーショップへのナビゲーションを希望することを（例えば、デバイスディスプレイに）指示することができる。同様に、ユーザは、デバイスディスプレイにおいて第１の潜在的行先及び第２の潜在的行先を選択することができる。或いは又、第１サーバー又はナビゲーションサーバー１１２は、ユーザにより選択された行先タイプに基づいて第１及び第２の潜在的行先を選択することができる。
【００１８】
２０４において、第２サーバー又はネットワーク知識サーバー１１４は、第１の潜在的行先に対応する第１のネットワーク性能メトリックを決定する。第２サーバー１１４は、次いで、第２の潜在的行先に対応する第２のネットワーク性能メトリックを決定する（ステップ２０６）。第１の潜在的行先及び第２の潜在的行先に関連した第１及び第２のネットワーク性能メトリックは、各々、例えば、予想データレート、行先へのルートに沿ったネットワーク性能レベル、特定のサービスに対するカバレージレベル、行先におけるネットワーク性能レベル、及び乗物対インターネット（Ｖ２Ｉ）通知のためのサポートレベル測定、のうちの少なくとも１つを含む。又、第１及び第２のネットワーク性能メトリックは、潜在的行先の付近の企業、及び／又は行先が位置する地方自治体にも対応する。しかしながら、第１及び第２の性能メトリックは、当業者に知られたように、それらに限定されないことを理解されたい。
【００１９】
２０８において、第３サーバー又は相関サーバー１１６は、第１の潜在的行先及び第２の潜在的行先をランク付けする。ランク付けは、第１のネットワーク性能メトリックと第２のネットワーク性能メトリックとの間の比較に基づく。特に、相関サーバー１１６は、高いランクの潜在的行先の推奨プライオリティを上げ、そして低いランクの潜在的行先の推奨プライオリティを下げる。加えて、第１の潜在的行先及び第２の潜在的行先のランク付けは、第１の潜在的行先及び第２の潜在的行先の顧客批評、第１の潜在的行先及び第２の潜在的行先におけるセキュリティレベル、並びに第１の潜在的行先及び第２の潜在的行先への好ましいルートの履歴的安全メトリック、のうちの少なくとも１つに基づく。例えば、第１の潜在的行先及び第２の潜在的行先のランク付けは、それら行き先について受け取った否定的な顧客批評の数を考慮するものである。
【００２０】
同様に、ランク付けは、各行先のセキュリティレベル（即ち、ネットワークのセキュリティ、第１の潜在的行先及び第２の潜在的行先がセキュリティハッキングの被害者であったかどうか）、行先の安全レコード（即ち、第１の潜在的行先及び第２の潜在的行先又はその付近の侵入の数）、又は各行先へのルートの安全性（第１の潜在的行先及び第２の潜在的行先又はその付近の交通事故の数）を考慮してもよい。そのような付加的なデータは、第１サーバー１１２から検索することができ、例えば、ナビゲーションサーバーは、顧客の批評、安全情報（例えば、ユーザによる又は地方自治体データベースからの入力）、及び他の行先関連情報を含む。
【００２１】
又、第１の潜在的行先及び第２の潜在的行先のランク付けは、予想出発時間、装置バッテリ寿命状態、及び再生可能エネルギー源の必要性に基づくこともできる。特に、方法２００が３：００ｐｍに遂行されるが、ユーザが５：００ｐｍまで出発する計画がない場合には、第１及び第２のネットワーク性能メトリックは、要求のあった時間ではなく、５：００ｐｍにネットワーク性能履歴に基づくことができる。更に、ランク付けが装置のバッテリ寿命（即ち、装置の残量が２５％バッテリ寿命になる）を考慮する場合には、第１の潜在的行先及び第２の潜在的行先のランク付けは、ユーザが装置の充電位置を必要とするときに、接近度をランキング付けの要因としてもよい。同様に、再生可能なエネルギー源を必要とする（即ち、装置が太陽エネルギーを捕獲する）場合には、第１の潜在的行先及び第２の潜在的行先のランク付けは、太陽を利用し易いルート（即ち、トンネルのない、影のないルート）を要因としてもよい。
【００２２】
２１０において、方法２００は、更に、ランク付けに基づき第１の潜在的行先及び第２の潜在的行先の一方へナビゲートすることを含む。特に、第３サーバー１１６は、より高いランクの性能メトリックを伴う行先を自動的に選択し、そしてその選択された行先を第２サーバー１１４と通信させる。第２サーバー１１４は、次いで、デバイス１０２を選択された行先へナビゲートするインストラクションをデバイス１０２へ送信する。或いは又、第３サーバー１１６は、第１の潜在的行先及び第２の潜在的行先のランク付けに基づき最終的な行先を推奨する。その推奨がデバイス１０２へ送信され、そして例えば、デバイスユーザにより、最終的な行先選択がなされる。
【００２３】
あるケースでは、ユーザは、方法２００の実施時にデバイス１０２を使用し、それ故、方法２００は、加入者がデバイスを使用するかどうか決定し、そして加入者がデバイスを使用する場合には、第１の潜在的行先及び第２の潜在的行先のランク付けに基づいて最終的な行先を自動的に選択しそしてそこへナビゲートすることも含む。例えば、第３サーバー１１６は、ユーザ／加入者が音声コールで別のデバイスに接続されたかどうか、或いは加入者がデータ又はビデオサービスにアクセスするかどうか決定する。そのような自動化機能は、ユーザがより高いランクの行先を選択するための操作を停止することが要求されないので、ユーザの効率を高めることができる。同様に、方法２００は、ユーザが乗物を運転しそして乗物内ナビゲーションデバイスを使用する場合に、第３サーバー１１６が最終的な行先を自動的に選択して、その行先を第２サーバー１１４へ送り、第２サーバーがユーザをその行先へナビゲートできるように構成される。そのような特徴は、例えば、ユーザ設定として、或いは運営者又はサービスプロバイダーにより提供される安全特徴として、実施することができる。
【００２４】
方法２００によれば、相関サーバー又は第３サーバー１１６は、ＫＰＩ、例えば、第１及び第２のネットワーク性能メトリックに応答してナビゲーションが変更された度合い、を計算するように構成される。計算されたＫＰＩは、次いで、エンドユーザ又は加入者に自身の情報として表示される。計算されたＫＰＩをユーザに表示するのとは別に又はそれに加えて、計算されたＫＰＩは、例えば、第１サーバー、第２サーバー、ワイヤレスネットワークプロバイダー、運転及び保守サーバー、第１の行先、第２の行先、及びデバイスとで共有することができる。又、そのようなＫＰＩは、より高いランクの性能メトリックに基づき行先を選択するユーザに関連した量的測定を与えるので、第１及び第２の行先に対応する商人／サービスプロバイダー／地方自治体にも有用である。そのような知識は、例えば、自身の各行先を選択するユーザの人数の増加を希望して、商人に自身の通信ネットワークをアップグレードする動機を与えることができる。ある実施形態では、これは、その行先への付加的なワイヤレスリソースの自動的展開を生じさせる。更に、この自動的展開は、その行先エリアへ１つ以上のワイヤレステクノロジーを自動的に展開することを含み、又、ワイヤレスドローン、自己運転乗物、衛星、低地球衛星／バルーン技術、及びその地理的エリアへの付加的なワイヤレスインフラストラクチャーの物理的付与、のうちの少なくとも１つを利用することを含む。加えて、そのようなＫＰＩ知識は、地方自治体が自身のネットワークにより多くのアクセスポイントを追加するようにさせ、これは、自身の各行先のネットワーク性能メトリックを高め、ひいては、その地方自治体に関連した行先を選択するユーザの数を増加することができる。
【００２５】
本開示のシステム１００及び方法２００を更に説明するため、本開示による規範的使用ケースを各々示す図３ないし７について説明する。図３は、第１の潜在的行先及び第２の潜在的行先がガソリンスタンドである使用ケース３００を示す。この使用ケース３００において、第１の潜在的行先は、町Ａ３０２として示され、そして第２の潜在的行先は、町Ｂ３０４として示される。ユーザ３０６は、町Ａ及びＢをナビゲーションサーバーにおける潜在的行先として選択している。これらの選択に基づき、ネットワーク知識サーバーは、町Ａ及びＢ内の位置（即ち、各町のガソリンスタンド、各ガソリンスタンド付近の企業、町Ａ及びＢの付近の接続された車）と通信して、町Ａ及びＢに関連する性能メトリックを決定することができる。例えば、ネットワーク知識サーバーは、町Ａには「良好なＲＳＲＰ」及び「良好なネットワークセキュリティレベル」があると決定し、そして更に、町Ａには「高いネットワークセキュリティレベル」があることを乗物３０８から決定する。同様に、ネットワーク知識サーバーは、町Ｂには「クレジットカードネットワークリスク」及び「無防備なセキュリティ」があると決定し、そして町Ｂへのルートには「高い衝突リスク」があるとの通信を乗物３１０から受け取る。
【００２６】
ネットワーク知識サーバーは、種々の性能メトリックを相関サーバーへ送り、相関サーバーは、次いで、そのメトリックを分析して、そのメトリックに基づいて、町Ａを町Ｂに対してランク付けする。使用ケース３００において、相関サーバーは、町Ａに関連したネットワーク性能メトリックに基づきユーザがガソリンの購入に町Ａを選択することを推奨する。
【００２７】
図４は、ユーザ／乗物４０２が最終的行先４０４への途中にあるが、最終的行先に到着する前にガソリン／食品のために停止を希望する使用ケース４００を示す。この使用ケース４００では、ユーザ４２０への接近度に基づき、町Ｂ４０６が第１の潜在的な行先であり、そして町Ａ４０８が第２の潜在的行先である。ナビゲーションサーバーは、ユーザへの接近度に基づき及び／又はユーザのニーズ（即ち、ガソリン、食品、雑貨）に基づき町Ａ及びＢを潜在的行先として自動的に選択することができる。潜在的な行先が分かると、ネットワーク知識サーバーは、町Ａ及びＢに関連した性能メトリックのコンパイルを開始することができる。使用ケース４００において、町Ｂには、「クレジットカードネットワークリスク」、「セキュリティ無防備」及び「低速インターネット」がある。他方、町Ａには、「良好なＲＳＲＰ」及び「良好なネットワークセキュリティレベル」がある。
【００２８】
これらの性能メトリックに基づいて、相関サーバーは、町Ａを町Ｂに対してランク付けし、そしてユーザに推奨を送る（又はより高いランクの町を最終的な行先として自動的に選択する）。使用ケース４００において、ユーザの現在位置から更に離れていても、ユーザが町Ａを好ましい行先として選択することが明らかである。相関サーバーは、このデータを町Ｂ（町Ｂの地方自治体又はサービスプロバイダー）に直接送信し、ユーザがセキュリティ及びネットワーク性能問題のために町Ｂをバイパスすることを町Ｂに通知する。そのような情報は、町Ｂにとって有用なもので、地方自治体が自身のネットワーク／セキュリティサービスをアップグレードする動機を与える。というのは、あるユーザが、そのユーザにより接近している場合でもネットワークサービスが不充分であるために町Ｂを通り過ぎて運転することに関連した利益の損失となるからである。
【００２９】
図５は、ユーザ５０２が最終的行先５０４への途中であるが、最終的行先の前にレストランのために停止を希望する使用ケース５００を示す。この使用ケース５００では、ユーザ５０２は、レストランに最も近いパーキングスポットを見つけることに関心がある。これは、例えば、ユーザが行先に到着するために歩きたくない荒れ模様の天気の場合に有用なシナリオである。ナビゲーションサーバーは、ユーザの位置及び／又は好みに基づいて第１の潜在的行先である町Ｂ５０８及び第２の潜在的行先である町Ａ５１０を選択する。ネットワーク知識サーバーは、次いで、町Ａ及び町Ｂに関連したネットワーク性能メトリックを監視する。例えば、ネットワーク知識サーバーは、町Ｂ５０８が「クレジットカードネットワークリスク」を生じ、「無防備なセキュリティ」、「低速なインターネット」であると決定する。又、ネットワーク知識サーバーは、例えば、町Ａが「良好なＲＳＲＰ」及び「良好なネットワークセキュリティレベル」であることも決定する。これらの性能メトリックに基づき、相関サーバーは、町Ａを町Ｂに対してランク付けし、そしてより高いランクの行先、このシナリオでは、町Ａを推奨し又は選択する。次いで、ナビゲーションサーバーは、例えば、町Ａ内の希望の位置に最も近いパーキングスポットを見つけ、そして例えば、その特定のスポットにユーザをナビゲートする。
【００３０】
図６を参照すれば、更に別の使用ケース６００は、ユーザ６０２が最終的行先６０４へ移動するが、その最終的行先に到着する前にガソリンのために停止を必要とすることを示す。ナビゲーションサーバーは、ユーザ６０２に、第１の潜在的行先である町Ｂ６０６、及び第２の潜在的行先である町Ａ６０８を与え、各々、ガソリンスタンドを備えている。又、ナビゲーションサーバーは、各町の各ガソリンスタンドに関する付加的な情報をユーザに与えることもできる。例えば、ナビゲーションサーバーは、「ガソリンの値段が町ＡのガソリンスタンドＡ６１２より＄０．２５安い」等の、ガソリンスタンドＢ６１０に関する情報を含むことができる。ネットワーク知識サーバーは、町Ｂ及びＡに各々関連した第１及び第２の性能メトリックを与える。例えば、使用ケース６００において、町Ｂ６０６は、「低速インターネット」及び「不充分なＲＳＲＰ」であり、良好なインターネット性能へアップグレードするのに「＄１．００余分にかかる」という能力を伴う。町Ａ６０８は、「良好なＲＳＲＰ」及び「良好なネットワークセキュリティレベル」であるが、町Ｂ６０６のガソリンスタンドＢ６１０に比してガソリンの値段が高い。
【００３１】
相関サーバーは、この情報を全て考慮して、ナビゲーションサーバーからの情報及びネットワーク知識サーバーからの情報に基づきガソリンスタンドＡ及びＢをランク付けし、そしてユーザ６０２に推奨を与える。この使用ケース６００では、ユーザ６０２は、インターネットサービスが町Ａ６０８のガソリンスタンドＡ６１２ほどパワフルでなくても、町Ｂを好ましい停止ポイントとして選択している。このケースでは、相関サーバーは、改善されたネットワークセキュリティレベル及びＲＳＲＰのため町Ａ６０８をユーザ６０２に推奨しているが、ユーザは、改善されたネットワークサービスよりも安いガソリン料金の方が重要であると判断した。
【００３２】
図７は、ユーザ７０２が町Ａ７０４の車充電ステーションを探している使用ケース７００を示す。ナビゲーションサーバーは、町Ａの２つの潜在的な車充電ステーション、即ち充電ステーションＡ７０６及び充電ステーションＢ７０８にユーザ７０２の注意を向けさせる。図７において明らかなように、車充電ステーションは、互いに接近しているが、車充電ステーションＡ７０６での駐車は、１時間当たり＄２．００未満である。ネットワーク知識サーバーは、車充電ステーションＡ及びＢに各々関連した第１及び第２の性能メトリックを監視しそしてユーザ７０２に与える。使用ケース７００において、車充電ステーションＡ７０６は、「低速インターネット」及び「不充分なＲＳＲＰ」であるが、１時間当たり＄１．００で「プレミアムインターネット」へアップグレードする能力をユーザに与える。車充電ステーションＢ７０８は、「良好なＲＳＲＰ」及び「良好なネットワークセキュリティレベル」である。
【００３３】
相関サーバーは、ナビゲーションサーバー及びネットワーク知識サーバーから情報を受け取り、そして充電ステーションＡ７０６を充電ステーションＢ７０８に対してランク付けし、そのランクに基づいてユーザ７０２へ推奨を与える。この使用ケース７００では、ステーションＡのネットワーク性能メトリックがステーションＢより良好であっても、車充電ステーションＡ７０６は、車充電ステーションＢ７０８より高くランク付けされる。これは、相関サーバーが、充電ステーションに駐車するコスト、及び充電ステーションのプレミアムインターネットサービスを更新するコストを適宜に考慮できるからである。或いは又、相関サーバーは、ステーションＡの不充分なネットワーク性能のために充電ステーションＢ７０８を充電ステーションＡ７０６より高くランク付けしてもよいが、ユーザ７０２は、駐車のための安い支払いではなく、インターネットアップグレードに支払うことを最終的に決定し、それ故、ステーションＡを自身の好ましい行先として選択してもよい。相関サーバーがユーザへの推奨を行う場合に、ユーザは、そのような推奨を受け容れる必要がなく、同様に、相関サーバーがユーザの行先を自動的に選択する場合には、ユーザは、必要に応じて、その選択を無効にするか、又は付加的な基準でサーチを開始してもよい。
【００３４】
図８を参照すれば、本開示による装置８００が提供される。装置８００は、メモリ８０２、プロセッサ８０４、及び少なくとも１つのデータベース８０６を備えている。装置８００は、加入者デバイス８０８、第１サーバー８１０、及び第２サーバー８１２と通信する。加入者デバイス８０８は、システム１００のデバイス１０２と同様であり、例えば、メモリ、プロセッサ及びディスプレイ（図示せず）を備えている。デバイス８０８は、セルラー電話のような移動装置でもよいし、又は例えば、接続車能力を伴う乗物でもよい。第１サーバー８１０は、システム１００のナビゲーションサーバー１１２と同様のナビゲーションサーバーである。更に、第２サーバー８１２は、システム１００のネットワーク知識サーバー１１４と同様のネットワーク知識サーバーである。装置８００は、システム１００の相関サーバー１１６と同様の相関サーバーである。上述したように、装置８００は、スタンドアローンサーバーであるか、或いは通信ネットワーク内のコンポーネントの一部分である。
【００３５】
装置８００は、第１サーバー８１０から第１の潜在的行先及び第２の潜在的行先を受け取る。又、装置８００は、第２サーバー８１２から第１のネットワーク性能メトリックを受け取り、そして第２サーバーから第２のネットワーク性能メトリックを受け取る。第１のネットワーク性能メトリック及び第２のネットワーク性能メトリックは、各行先及び／又はその周囲に関連した少なくとも１つの性能メトリックを含む。方法２００と同様に、第１のネットワーク性能メトリックは、第１の潜在的行先に対応し、そして第２のネットワーク性能メトリックは、第２の潜在的行先に対応する。例えば、第１及び第２の性能メトリックは、行先（即ち、ガソリンスタンド又はコーヒーショップ）、行先付近の企業、又は行先が位置する地方自治体（即ち、地方自治体全体のネットワーク性能統計値、地方自治体により提供されるワイヤレス／ストリーミング特徴）に直接対応する。装置８００は、次いで、第１のネットワーク性能メトリックと第２のネットワーク性能メトリックとの間の比較に基づき第１の潜在的行先を第２の潜在的行先に対してランク付けする。要求されないが、装置８００は、第１の潜在的行先及び第２の潜在的行先の１つを自動的に選択し、そして第２サーバーに、デバイスをその選択された行先へナビゲートするよう命令する。
【００３６】
本開示は、推奨を与えるときに潜在的行先におけるネットワーク性能メトリックを考慮して行先推奨及び選択を行うシステム、方法及び装置を提供する。各潜在的行先に関連したネットワーク性能メトリックは、例えば、ナビゲーションサーバーから受け取られる付加的な情報（即ち、顧客批評、価格統計値）と共に、相関サーバーに受け取られ、次いで、この情報に基づいて各潜在的行先がランク付けされる。相関サーバーは、次いで、そのランクに基づきユーザに最終的な行先を推奨するか、又はそのランクに基づきユーザの最終的な行先を自動的に選択する。このように、高いインターネット性能又はプレミアムインターネットサービスを要求するユーザは、単なる自分の現在位置への行先の接近度以上のものに基づいて自分の好ましい行先を選択することができる。従って、本システム、方法及び装置は、ユーザの行先要求（即ち、ファーストフード、コーヒー、ガソリンスタンド）に加えて、ユーザのワイヤレス通信ニーズを考慮する。
【００３７】
又、本開示は、相関サーバーによりランク付けされる潜在的な行先内の地方自治体及び／又は企業に利益をもたらすこともできる。例えば、相関サーバーは、ワイヤレスネットワーク性能が良好なことから他の企業／行先を選択するユーザの人数／頻度に関するＫＰＩ又は統計値を企業に与えることができる。そのような知識は、プレミアムインターネットサービスを提供するか又は改良型ワイヤレスサービスプロバイダー／ネットワークへとアップグレードする動機を企業／地方自治体に与えることができる。
【００３８】
本開示の実施形態は、ソフトウェア（１つ以上のプロセッサにより実行される）、ハードウェア（例えば、特定用途向け集積回路）、又はソフトウェア及びハードウェアの組み合せで実施される。規範的実施形態において、相関サーバーは、種々の従来の非一時的なコンピュータ読み取り可能な媒体のいずれかに維持されるソフトウェア（例えば、アプリケーションロジック、インストラクションセット）を含む。本書において、「非一時的なコンピュータ読み取り可能な媒体」とは、インストラクション実行システム、装置又はデバイス、例えば、コンピュータにより又はそれに関連して使用するためにインストラクションを収容し、記憶し、通信し、伝播し又は搬送することのできる媒体又は手段である。非一時的なコンピュータ読み取り可能な媒体は、インストラクション実行システム、装置又はデバイス、例えば、コンピュータにより又はそれに関連して使用するためにインストラクションを収容し又は記憶することのできる媒体又は手段であるコンピュータ読み取り可能な記憶媒体（例えば、メモリ又は他のデバイス）を含む。従って、本開示は、コンピュータに使用するために実施されるコンピュータプログラムコードを保持するコンピュータ読み取り可能なストレージ媒体を含むコンピュータプログラム製品を包含し、そのコンピュータプログラムコードは、上述した方法及びその変形のいずれかを遂行するためのコードを含む。更に、本開示は、１つ以上のプロセッサ、及びコンピュータプログラムコードを含む１つ以上のメモリを備えた装置も包含し、ここで、１つ以上のメモリ及びコンピュータプログラムコードは、１つ以上のプロセッサとで、装置が、前記方法及びその変形のいずれかを遂行するようにさせるよう構成される。
【００３９】
もし要望があれば、上述した異なる機能は、異なる順序で遂行されてもよいし及び／又は互いに同時に遂行されてもよい。更に、もし要望があれば、前記機能の１つ以上は、任意であってもよいし又は組み合わされてもよい。
【００４０】
本開示の種々の観点が独立請求項に述べられるが、本開示の他の観点は、請求項に明確に述べる組み合せだけではなく、前記実施形態及び／又は従属請求項からの特徴と、独立請求項の特徴との別の組み合せを包含する。
【００４１】
又、本開示の規範的実施形態を上述したが、それらの記述は、それに限定されると考えてはならないことに注意されたい。むしろ、請求項に規定された本発明の範囲から逸脱せずに、多数の変更及び修正がなされ得る。
【００４２】
当業者であれば、上述した開示は、異なる順序のステップで、及び／又は開示されたものとは異なる構成のハードウェア要素で、実施されてもよいことが容易に理解されよう。それ故、本開示は、それらの好ましい実施形態に基づいて記述されたが、当業者であれば、本開示の精神及び範囲から逸脱せずに、ある修正、変更及び代替的構造が明らかとなるであろう。それ故、本開示の限界及び境界を決定するためには、特許請求の範囲を参照されたい。明細書及び／又は添付図面に見られる次の略語は、次のように定義される。
ＫＰＩ：重要業績指標
ＲＳＲＰ：基準信号受信電力
Ｖ２Ｉ：乗物対インターネット
【符号の説明】
【００４３】
１００：システム
１０２：デバイス
１０４：メモリ
１０６：プロセッサ
１０８：ディスプレイ
１１０：ネットワーク
１１２：第１サーバー
１１４：第２サーバー
１１６：第３サーバー
１１８：メモリ
１２０：プロセッサ
１２２：メモリ
１２４：プロセッサ
１２６：メモリ
１２８：データベース
１３０：プロセッサ
８００：装置
８０２：メモリ
８０４：プロセッサ
８０６：データベース
８０８：加入者デバイス
８１０：第１サーバー
８１２：第２サーバー
【図１】
2018529956.tif 000003
【図２】
2018529956.tif 000004
【図３】
2018529956.tif 000005
【図４】
2018529956.tif 000006
【図５】
2018529956.tif 000007
【図６】
2018529956.tif 000008
【図７】
2018529956.tif 000009
【図８】
2018529956.tif 000010
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
第１サーバーにおいて、第１の潜在的な行先及び第２の潜在的な行先を決定し、
第２サーバーにおいて、前記第１の潜在的行先に対応する第１のネットワーク性能メトリックを決定し、
第２サーバーにおいて、前記第２の潜在的行先に対応する第２のネットワーク性能メトリックを決定し、
第３サーバーにおいて、前記第１の潜在的な行先及び前記第２の潜在的な行先をランク付けし、このランク付けは、前記第１のネットワーク性能メトリックと前記第２のネットワーク性能メトリックとの間の比較に基づいて行う、
ことを含む方法。
【請求項２】
メモリ、プロセッサ及びディスプレイを有する装置において、前記ランキングに基づき前記第１の潜在的な行先及び前記第２の潜在的な行先の１つへナビゲートすることを更に含む、請求項１に記載の方法。
【請求項３】
前記第１サーバーは、前記第１の潜在的な行先及び前記第２の潜在的な行先の１つをナビゲートするように構成されたナビゲーションサーバーである、請求項１又は２に記載の方法。
【請求項４】
第３サーバーにおいて、前記第１の潜在的な行先及び前記第２の潜在的な行先の前記ランキングに基づき最終的な行先を推奨することを更に含む、請求項１又は２に記載の方法。
【請求項５】
前記第１の潜在的な行先及び前記第２の潜在的な行先は、デバイスを動作する加入者により選択され、前記方法は、更に、
加入者が前記デバイスを使用するかどうか決定し、及び
加入者が前記デバイスを使用する場合には、第１の潜在的な行先及び第２の潜在的な行先のランキングに基づき最終的な行先を自動的に選択してナビゲートする、
ことを更に含む、請求項１又は２に記載の方法。
【請求項６】
前記第１の潜在的な行先及び前記第２の潜在的な行先をランキングすることは、更に、前記第１の潜在的な行先及び前記第２の潜在的な行先の顧客批評、前記第１の潜在的な行先及び前記第２の潜在的な行先のセキュリティレベル、並びに前記第１の潜在的な行先及び前記第２の潜在的な行先への好ましいルートの履歴的安全メトリック、のうちの少なくとも１つに基づく、請求項１又は２に記載の方法。
【請求項７】
前記第３サーバーは、更に、ＫＰＩを計算するように構成され、ＫＰＩは、前記第１及び第２のネットワーク性能メトリックに応答してナビゲーションが変更された度合いであり、その計算されたＫＰＩは、エンドユーザに表示され、及び前記第１サーバー、前記第２サーバー、ワイヤレスネットワークプロバイダー、運転及び保守サーバー、前記第１の行先、前記第２の行先、並びに前記デバイスの少なくとも１つとで共有されること；及びその潜在的な行先への付加的なワイヤレスインフラストラクチャーの自動配信のためのトリガー；の少なくとも１つとなるよう構成される、請求項２に記載の方法。
【請求項８】
メモリ、プロセッサ及びディスプレイを有していて、ネットワークに接続される少なくとも１つのデバイス、
前記デバイスと通信するように構成された第１サーバー、
前記デバイスと通信するように構成された第２サーバー、及び
前記第１及び第２サーバーと通信する第３サーバー、
を備えたシステムにおいて、前記第３サーバーは、
前記第１サーバーから第１の潜在的な行先及び第２の潜在的な行先を受け取り、
前記第１の潜在的な行先に対応する第１のネットワーク性能メトリックを前記第２サーバーから受け取り、
前記第２の潜在的な行先に対応する第２のネットワーク性能メトリックを前記第２サーバーから受け取り、及び
前記第１のネットワーク性能メトリックと第２のネットワーク性能メトリックとの間の比較に基づいて前記第２の潜在的な行先に対して前記第１の潜在的な行先をランク付けする、
ように構成されたシステム。
【請求項９】
前記第１の潜在的な行先の前記第１のネットワーク性能メトリック及び前記第２の潜在的な行先の前記第２のネットワーク性能メトリックは、所定のネットワーク性能メトリックスレッシュホールドより大きい、請求項８に記載のシステム。
【請求項１０】
前記第１の潜在的な行先及び前記第２の潜在的な行先は、ビデオ視聴能力、所定のスレッシュホールドを越えるセキュリティレベル、及び好ましいサービスプロバイダーの少なくとも１つを含む、請求項８に記載のシステム。
【請求項１１】
前記第１サーバーは、メモリ及びプロセッサを有するナビゲーションサーバーであり、このナビゲーションサーバーは、ＧＰＳデータ、ナビゲーションデータ、並びに前記第１の潜在的な行先及び前記第２の潜在的な行先に対するルーティングデータを与えるように構成される、請求項８に記載のシステム。
【請求項１２】
前記第２サーバーは、メモリ及びプロセッサを有するネットワーク知識サーバーであり、前記第３サーバーへネットワーク性能メトリックを与えるように構成される、請求項８に記載のシステム。
【請求項１３】
前記第３サーバーは、メモリ、少なくとも１つのデータベース、及びプロセッサを有する相関サーバーであり、該相関サーバーは、前記第１の潜在的な行先及び前記第２の潜在的な行先をランク付けし、そのランク付けを記憶し、そして前記第１の潜在的な行先及び前記第２の潜在的な行先のうちの高いランクの方を推奨するよう構成される、請求項８に記載のシステム。
【請求項１４】
前記相関サーバーは、更に、前記第１の潜在的な行先及び前記第２の潜在的な行先の１つを自動的に選択し、そしてその選択された行先へデバイスをナビゲートするよう前記第２サーバーに命令するよう構成される、請求項１３に記載のシステム。
【請求項１５】
メモリ、
プロセッサ、及び
少なくとも１つのデータベース、
を備えた装置において、この装置は、加入者デバイス、第１サーバー、及び第２サーバーと通信し、更に、この装置は、
前記第１サーバーから第１の潜在的な行先及び第２の潜在的な行先を受け取り、
前記第１の潜在的な行先に対応する第１のネットワーク性能メトリックを第２サーバーから受け取り、
前記第２の潜在的な行先に対応する第２のネットワーク性能メトリックを前記第２サーバーから受け取り、及び
前記第１のネットワーク性能メトリックと前記第２のネットワーク性能メトリックとの間の比較に基づいて前記第２の潜在的な行先に対して前記第１の潜在的な行先をランク付けする、
ように構成された装置。
【国際調査報告】
2018529956.tif 000011
2018529956.tif 000012
2018529956.tif 000013